(57)【要約】【課題】セキュリティが強化された状況で設定作業が効率よく行われうる設定システム、電子機器、設定方法、及び設定プログラムを提供する。【解決手段】設定システム１は、第１電子機器１１と、第２電子機器１２とを備える。第１電子機器１１は、パスワードと、第２電子機器１２の設定情報とを含む情報を出力する。第２電子機器１２は、第１電子機器１１からパスワードと設定情報とを取得し、設定情報に基づき自機の設定を変更し、パスワードによって自機の設定をロックする。【選択図】図２
2019148893.tif 000002
【特許請求の範囲】
【請求項１】
第１電子機器と、第２電子機器とを備え、
前記第１電子機器は、パスワードと、前記第２電子機器の設定情報とを含む情報を出力し、
前記第２電子機器は、前記第１電子機器から、前記パスワードと、前記設定情報とを取得し、前記設定情報に基づき自機の設定を変更し、前記パスワードによって自機の設定をロックする
設定システム。
【請求項２】
前記第１電子機器は、前記パスワードによって自機の設定をロックする、請求項１に記載の設定システム。
【請求項３】
前記第２電子機器が前記パスワードによって自機の設定をロックしている状態において、
前記第２電子機器は、
前記第１電子機器から前記パスワードを取得し、
前記第１電子機器から取得したパスワードによる認証が成功した場合、自機の設定をアンロックし、前記設定情報に基づき自機の設定を変更する、請求項１又は２に記載の設定システム。
【請求項４】
前記設定情報は、前記第２電子機器の機能を制限する設定に関する情報である、請求項１乃至３のいずれか一項に記載の設定システム。
【請求項５】
前記第２電子機器は、自機の設定の少なくとも一部を、前記第１電子機器の設定と同一に設定する、請求項１乃至４のいずれか一項に記載の設定システム。
【請求項６】
パスワードと、他の電子機器の設定情報とを含む情報を出力し、
前記設定情報は、前記他の電子機器を設定するために用いられ、
前記パスワードは、前記他の電子機器の設定をロックするために用いられる、
電子機器。
【請求項７】
他の電子機器から、パスワードと、自機の設定情報とを含む情報を取得し、
前記設定情報に基づき自機の設定を変更し、
前記パスワードによって自機の設定をロックする
電子機器。
【請求項８】
第１電子機器が、パスワードと、第２電子機器の設定情報とを含む情報を出力し、
前記第２電子機器が、前記第１電子機器から、前記パスワードと、前記設定情報とを取得し、前記設定情報に基づき自機の設定を変更し、前記パスワードによって自機の設定をロックする
設定方法。
【請求項９】
電子機器に、パスワードと、他の電子機器の設定情報とを含む情報を出力させ、
前記設定情報は、前記他の電子機器を設定するために用いられ、
前記パスワードは、前記他の電子機器の設定をロックするために用いられる、
設定プログラム。
【請求項１０】
電子機器に、他の電子機器から、パスワードと、自機の設定情報とを含む情報を取得させ、
前記設定情報に基づき自機の設定を変更させ、
前記パスワードによって自機の設定をロックさせる
設定プログラム。
【発明の詳細な説明】
【技術分野】
【０００１】
本開示は、設定システム、電子機器、設定方法、及び設定プログラムに関する。
【背景技術】
【０００２】
端末にセキュリティを設定する構成が知られている（例えば、特許文献１参照）。
【先行技術文献】
【特許文献】
【０００３】
【特許文献１】特開２０１５−７８３７号公報
【発明の概要】
【発明が解決しようとする課題】
【０００４】
端末は、ＭＤＭ（Mobile Device Management）によって管理されうる。ＭＤＭに関する設定によって、各端末の機能が制限される。各端末における設定作業において、セキュリティの強化と作業効率の向上とが求められる。
【０００５】
本開示は、上述の点に鑑みてなされたものであり、セキュリティが強化された状況で設定作業が効率よく行われうる設定システム、電子機器、設定方法、及び設定プログラムを提供することを目的とする。
【課題を解決するための手段】
【０００６】
上記目的を達成する本開示の一実施形態に係る設定システムは、第１電子機器と、第２電子機器とを備える。前記第１電子機器は、パスワードと、前記第２電子機器の設定情報とを含む情報を出力する。前記第２電子機器は、前記第１電子機器から、前記パスワードと、前記設定情報とを取得する。前記第２電子機器は、前記設定情報に基づき自機の設定を変更する。前記第２電子機器は、前記パスワードによって自機の設定をロックする。
【０００７】
上記目的を達成する本開示の一実施形態に係る電子機器は、パスワードと、他の電子機器の設定情報とを含む情報を出力する。前記設定情報は、前記他の電子機器を設定するために用いられる。前記パスワードは、前記他の電子機器の設定をロックするために用いられる。
【０００８】
上記目的を達成する本開示の一実施形態に係る電子機器は、他の電子機器から、パスワードと、自機の設定情報とを含む情報を取得する。前記電子機器は、前記設定情報に基づき自機の設定を変更する。前記電子機器は、前記パスワードによって自機の設定をロックする。
【０００９】
上記目的を達成する本開示の一実施形態に係る設定方法において、第１電子機器が、パスワードと、前記第２電子機器の設定情報とを含む情報を出力する。前記設定方法において、第２電子機器が、前記第１電子機器から、前記パスワードと、前記設定情報とを取得する。前記設定方法において、第２電子機器が、前記設定情報に基づき自機の設定を変更する。前記設定方法において、第２電子機器が、前記パスワードによって自機の設定をロックする。
【００１０】
上記目的を達成する本開示の一実施形態に係る設定プログラムは、電子機器に、パスワードと、他の電子機器の設定情報とを含む情報を出力させる。前記設定情報は、前記他の電子機器を設定するために用いられる。前記パスワードは、前記他の電子機器の設定をロックするために用いられる。
【００１１】
上記目的を達成する本開示の一実施形態に係る設定プログラムは、電子機器に、他の電子機器から、パスワードと、自機の設定情報とを含む情報を取得させる。前記設定プログラムは、前記電子機器に、前記設定情報に基づき自機の設定を変更させる。前記設定プログラムは、前記電子機器に、前記パスワードによって自機の設定をロックさせる。
【発明の効果】
【００１２】
本開示の一実施形態に係る設定システム、電子機器、設定方法、及び設定プログラムによれば、セキュリティが強化された状況で設定作業が効率よく行われうる。
【図面の簡単な説明】
【００１３】
【図１】一実施形態に係る電子機器の構成例を示すブロック図である。
【図２】一実施形態に係る設定システムの構成例を示すブロック図である。
【図３】一実施形態に係る設定システムの構成例を示すブロック図である。
【図４】設定システムが実行する手順の一例を示すフローチャートである。
【図５】第１電子機器が実行する手順の一例を示すフローチャートである。
【図６】第２電子機器が実行する手順の一例を示すフローチャートである。
【図７】比較例に係る設定システムを示すブロック図である。
【発明を実施するための形態】
【００１４】
図１に示されるように、一実施形態に係る電子機器１０は、コントローラ２０と、記憶部２２と、取得部３０と、出力部４０とを備える。電子機器１０は、操作部５０をさらに備えてよい。電子機器１０は、ＭＤＭ（Mobile Device Management）によって管理されてよい。電子機器１０は、ＭＤＭに関する設定によって、その機能を制限してよい。電子機器１０の機能の制限によって、電子機器１０のセキュリティが高められうる。
【００１５】
コントローラ２０は、電子機器１０の各構成部と接続され、各構成部から情報を取得したり、各構成部を制御したりしうる。コントローラ２０は、ＭＤＭに関するアプリケーションを実行してよい。コントローラ２０は、１以上のプロセッサを含んでよい。プロセッサは、特定のプログラムを読み込ませて特定の機能を実行する汎用のプロセッサ、及び特定の処理に特化した専用のプロセッサを含んでよい。専用のプロセッサは、特定用途向けＩＣ（ＡＳＩＣ：Application Specific Integrated Circuit）を含んでよい。プロセッサは、プログラマブルロジックデバイス（ＰＬＤ：Programmable Logic Device）を含んでよい。ＰＬＤは、ＦＰＧＡ（Field-Programmable Gate Array）を含んでよい。コントローラ２０は、１つ又は複数のプロセッサが協働するＳｏＣ（System on a Chip）、及びＳｉＰ（System in a Package）のいずれかであってよい。
【００１６】
記憶部２２は、各種情報、又は電子機器１０の各構成部を動作させるためのプログラム等を格納してよい。記憶部２２は、例えば半導体メモリ等で構成されてよい。記憶部２２は、コントローラ２０のワークメモリとして機能してよい。記憶部２２は、コントローラ２０に含まれてよい。
【００１７】
取得部３０は、他の電子機器１０から情報を取得する。取得部３０は、例えば、撮像デバイス若しくはセンサ、又は通信デバイス等を備えてよい。取得部３０は、撮像デバイス又はセンサを備える場合、他の電子機器１０が出力するバーコード又は二次元コード等を読み取ることによって、情報を取得してよい。撮像デバイスは、例えばカメラであってよい。センサは、例えば赤外線又は可視光等の電磁波を検出するセンサであってよい。取得部３０は、通信デバイスを備える場合、他の電子機器１０との通信に基づいて、情報を取得してよい。
【００１８】
出力部４０は、他の電子機器１０に情報を出力する。出力部４０は、例えば、表示デバイス又は通信デバイス等を備えてよい。出力部４０は、表示デバイスを備える場合、他の電子機器１０に読み取らせるバーコード又は二次元コード等を表示してよい。表示デバイスは、例えば液晶、有機ＥＬ（Electro-Luminescence）、無機ＥＬ又はＬＥＤ（Light Emission Diode）等を含んでよい。出力部４０は、通信デバイスを備える場合、他の電子機器１０との通信に基づいて、情報を出力してよい。
【００１９】
取得部３０と出力部４０とは、１つの通信デバイスで構成されてよい。通信デバイスは、例えば、赤外線通信又はＮＦＣ（Near Field communication）通信等の非接触通信の通信インタフェースを含んでよい。通信デバイスは、例えば、ＬＡＮ（Local Area Network）等の通信インタフェースを含んでよい。通信デバイスは、ルータを介さずに互いに直接通信できる通信インタフェースを含んでよい。通信デバイスは、例えば、ＵＳＢ（Universal Serial Bus）等のインタフェースを含んでよい。
【００２０】
操作部５０は、物理キーを備えてよいし、タッチセンサ又は近接センサ等の入力デバイスを備えてよい。コントローラ２０は、操作部５０からの入力に基づいて、電子機器１０を制御してよい。
【００２１】
電子機器１０は、種々の設定を有しうる。電子機器１０の設定は、例えば、ＭＤＭに関する設定を含んでよい。電子機器１０の設定は、自機の機能を制限する設定を含んでよい。電子機器１０の設定は、電子機器１０のセキュリティを高める設定を含んでよい。電子機器１０のセキュリティを高める設定は、セキュリティポリシーともいう。セキュリティポリシーは、例えば、通信を制限する設定、情報の出力を制限する設定、又は、電子機器１０のリセットを制限する設定等を含んでよい。電子機器１０の設定は、表示デバイスにおける表示項目又は表示レイアウト等を特定する内容を含んでよい。電子機器１０の設定は、通信デバイスにおけるＭＡＣ（Media Access Control）アドレス若しくはＩＰ（Internet Protocol）アドレス等のアドレス、又は、通信内容等を特定する内容を含んでよい。
【００２２】
電子機器１０は、電子機器１０自身の設定を変更してよい。電子機器１０自身は、自機ともいう。電子機器１０は、操作部５０からの入力に基づいて、自機の設定を変更してよい。電子機器１０は、他の電子機器１０から取得した情報に基づいて、自機の設定を変更してよい。電子機器１０の設定に関する情報は、設定情報ともいう。電子機器１０は、他の電子機器１０の設定情報を出力してよい。電子機器１０は、他の電子機器１０から設定情報を取得してよい。
【００２３】
電子機器１０は、パスワードによって自機の設定をロックする。このようにすることで、パスワードを知らない部外者によって、自機の設定が変更されにくくなる。結果として、電子機器１０のセキュリティが高められうる。電子機器１０は、操作部５０からの入力に基づくパスワードによって自機の設定をロックしてよい。電子機器１０は、他の電子機器１０から取得した情報に基づくパスワードによって自機の設定をロックしてよい。電子機器１０は、他の電子機器１０で用いられるパスワードに関する情報を出力してよい。電子機器１０は、他の電子機器１０からパスワードに関する情報を取得してよい。
【００２４】
電子機器１０は、自機の設定がパスワードによってロックされている状態において、操作部５０からの入力に基づいてパスワードに関する情報を取得してよいし、他の電子機器１０からパスワードに関する情報を取得してよい。電子機器１０は、取得したパスワードに関する情報に基づいて、認証を実行してよい。電子機器１０は、認証が成功した場合、自機の設定のロックを解除してよい。ロックの解除は、アンロックともいう。
【００２５】
図２に示されるように、一実施形態に係る設定システム１は、複数の電子機器１０を備える。設定システム１がｎ台の電子機器１０を備えると仮定する。ｎは、２以上の自然数である。各電子機器１０は、１０−１、２、・・、ｎで表される符号が付されることによって特定されるものとする。
【００２６】
電子機器１０は、情報を出力したり、情報を取得したりすることによって、情報を交換してよい。電子機器１０は、設定情報を出力することによって、設定をエクスポートしうる。電子機器１０は、設定情報を取得することによって、設定をインポートしうる。電子機器１０は、他の電子機器１０で用いられるパスワードに関する情報と、他の電子機器１０の設定情報とを含む情報を出力しうる。電子機器１０は、パスワードに関する情報と設定情報とを一括で出力してよい。電子機器１０は、パスワードに関する情報と設定情報とを一体に出力してよい。電子機器１０は、パスワードに関する情報と設定情報とを連続的に出力してよい。電子機器１０は、パスワードに関する情報と設定情報とを含む情報を分割した情報を一連の情報として出力してよい。電子機器１０は、例えば、情報を複数のバーコード又は二次元コード等に分割し、分割した情報を一連の情報として出力してよい。電子機器１０は、情報を複数の通信パケット等に分割し、分割した情報を一連の情報として出力してよい。
【００２７】
電子機器１０は、他の電子機器１０から、パスワードに関する情報と、自機の設定情報とを含む情報を取得しうる。電子機器１０は、他の電子機器１０から複数のバーコード又は二次元コード等に分割されている情報を取得した場合、取得した情報を一連の情報として処理してよい。電子機器１０は、他の電子機器１０から複数のパケット等に分割されている情報を取得した場合、取得した情報を一連の情報として処理してよい。
【００２８】
電子機器１０が他の電子機器１０で用いられるパスワードに関する情報、又は、他の電子機器１０の設定に関する情報を出力する場合、その電子機器１０は、第１電子機器１１又はマスタ機器ともいう。電子機器１０が他の電子機器１０からパスワードに関する情報、又は、自機の設定に関する情報を取得する場合、その電子機器１０は、第２電子機器１２又はスレーブ機器ともいう。第２電子機器１２は、自機の設定の少なくとも一部を、第１電子機器１１の設定と同一に設定してよい。設定システム１において、電子機器１０の設定は、第１電子機器１１から第２電子機器１２にコピーされるともいえる。電子機器１０は、操作部５０からの入力に基づいて、第１電子機器１１としての動作又は第２電子機器１２としての動作を開始してよい。
【００２９】
第１電子機器１１は、自機の設定をロックするためのパスワードと同一のパスワードを、第２電子機器１２に出力してよい。つまり、第１電子機器１１は、第２電子機器１２の設定のロックに用いられるパスワードによって、自機の設定をロックしてよい。このようにすることで、パスワードの管理が容易になりうる。
【００３０】
第２電子機器１２は、第１電子機器１１から、パスワードに関する情報と、設定情報とを取得する。第２電子機器１２は、第１電子機器１１から取得した設定情報に基づいて自機を設定するとともに、第１電子機器１１から取得したパスワードによって自機の設定をロックする。このようにすることで、セキュリティの強化と、自機の設定とが容易に行われうる。第２電子機器１２は、自機の設定がロックされている状態において、第１電子機器１１から取得したパスワードによって自機の設定をアンロックしつつ、第１電子機器１１から取得した設定情報に基づいて自機を設定してよい。このようにすることで、セキュリティが強化されている状況で、自機が容易に設定されうる。
【００３１】
第２電子機器１２は、第１電子機器１１から取得した設定情報に基づいて、自機の機能を制限する設定を自機の設定に適用してよい。第２電子機器１２は、セキュリティポリシーを自機の設定に適用してよい。このようにすることで、電子機器１０のセキュリティがより一層高められうる。
【００３２】
図２において、電子機器１０−１は、第１電子機器１１に該当する。電子機器１０−２〜ｎは、第２電子機器１２に該当する。この場合、電子機器１０−１は、電子機器１０−２〜ｎに対して、パスワードに関する情報と、設定情報とを出力する。電子機器１０−２〜ｎは、電子機器１０−１から、パスワードに関する情報と、設定情報とを取得する。
【００３３】
図３に示されるように、第１電子機器１１と第２電子機器１２とは、入れ替えられてよい。電子機器１０−２は、第１電子機器１１に該当する。電子機器１０−１、３〜ｎは、第２電子機器１２に該当する。この場合、電子機器１０−２は、電子機器１０−１、３〜ｎに対して、パスワードに関する情報と、設定情報とを出力する。電子機器１０−１、３〜ｎは、電子機器１０−２から、パスワードに関する情報と、設定情報とを取得する。
【００３４】
設定システム１において、電子機器１０が第１電子機器１１及び第２電子機器１２のいずれとして機能するかは、ユーザによる操作によって決定されてよい。ユーザは、例えば、電子機器１０においてＭＤＭに関するアプリケーションを起動し、その電子機器１０を第１電子機器１１及び第２電子機器１２のいずれか一方として機能させるコマンドを入力してよい。電子機器１０は、初期設定又は出荷時設定で、第２電子機器１２として機能するように設定されていてよい。電子機器１０が第２電子機器１２として機能するように設定されている場合、電子機器１０は、初期状態として情報を取得するモードを起動してよい。
【００３５】
設定システム１は、図４に示されるフローチャートの手順に沿って、電子機器１０の設定を変更しうる。
【００３６】
第１電子機器１１は、情報を出力する指示を取得する（ステップＳ１１）。第１電子機器１１は、操作部５０からの入力に基づいて、情報を出力する指示を取得してよい。第１電子機器１１は、ＭＤＭに関するアプリケーションにおけるコマンドの入力に基づいて、情報を出力する指示を取得してよい。第１電子機器１１は、設定をエクスポートするアプリケーションの起動に基づいて、情報を出力する指示を取得してよい。第１電子機器１１は、第２電子機器１２との通信によって、第２電子機器１２から、情報を出力する指示を取得してよい。つまり、第２電子機器１２は、第１電子機器１１に対して、情報の出力を要求してよい。第２電子機器１２は、操作部５０からの入力に基づいて、第１電子機器１１に対して、情報の出力を要求してよい。
【００３７】
第１電子機器１１は、情報を生成する（ステップＳ１２）。第１電子機器１１は、第２電子機器１２で用いられるパスワードに関する情報と、第２電子機器１２の設定情報とを含む情報を生成する。情報は、テキストデータを含んでよいし、バイナリデータを含んでもよい。
【００３８】
一方、第２電子機器１２は、情報を取得する指示を取得する（ステップＳ２１）。第２電子機器１２は、操作部５０からの入力に基づいて、情報を取得する指示を取得してよい。第２電子機器１２は、ＭＤＭに関するアプリケーションにおけるコマンドの入力に基づいて、情報を取得する指示を取得してよい。第２電子機器１２は、設定をインポートするアプリケーションの起動に基づいて、情報を取得する指示を取得してよい。第２電子機器１２は、第１電子機器１１との通信によって、第１電子機器１１から、情報を取得する指示を取得してよい。つまり、第１電子機器１１は、第２電子機器１２に対して、情報の取得を要求してよい。第１電子機器１１は、操作部５０からの入力に基づいて、第２電子機器１２に対して、情報の取得を要求してよい。
【００３９】
第１電子機器１１は、情報を出力する（ステップＳ１３）。一方、第２電子機器１２は、情報を取得する（ステップＳ２２）。
【００４０】
第１電子機器１１の出力部４０が表示デバイスである場合、第１電子機器１１は、情報をバーコード又は二次元コードとして表示してよい。第２電子機器１２の取得部３０が撮像デバイス又はセンサである場合、第２電子機器１２は、第１電子機器１１が表示しているバーコード又は二次元コードを読み取ることによって、情報を取得してよい。
【００４１】
第１電子機器１１の出力部４０、及び、第２電子機器１２の取得部３０が通信デバイスである場合、第１電子機器１１と第２電子機器１２とは、互いに通信してよい。第１電子機器１１は、情報を通信データとして送信してよい。第２電子機器１２は、情報を通信データとして受信してよい。
【００４２】
第１電子機器１１は、情報を出力した後、情報を消去する（ステップＳ１４）。情報が消去されることによって、パスワードに関する情報を含む情報が部外者に知られにくくなる。結果として、電子機器１０のセキュリティが高められうる。第１電子機器１１は、ステップＳ１４の後、図４のフローチャートの手順を終了する。
【００４３】
一方、第２電子機器１２は、取得した情報に基づく処理を実行する（ステップＳ２３）。第２電子機器１２は、自機の設定がパスワードでロックされていない場合、取得した情報に含まれる設定情報に基づいて、自機の設定を変更する。第２電子機器１２は、自機の設定を変更した後、取得した情報に含まれるパスワードに関する情報に基づいて、自機の設定をロックしてよい。第２電子機器１２は、パスワードによって自機の設定をロックするか否か、操作部５０からの入力に基づいて決定してよい。第２電子機器１２は、自機の設定がパスワードでロックされていない場合、取得したパスワードに関する情報に基づいて自機の設定をロックしてよい。自機の設定がロックされることによって、電子機器１０のセキュリティが高められうる。
【００４４】
第２電子機器１２は、自機の設定がパスワードでロックされている場合、操作部５０から入力されたパスワードに関する情報に基づいて、自機の設定をアンロックする。第２電子機器１２は、取得したパスワードによる認証を実行してよい。第２電子機器１２は、認証が成功した場合、自機の設定のロックをアンロックしてよい。
【００４５】
または第２電子機器１２は、自機の設定がパスワードでロックされている場合、取得した情報に含まれるパスワードに関する情報に基づいて、自機の設定をアンロックする。第２電子機器１２は、取得したパスワードによる認証を実行してよい。第２電子機器１２は、認証が成功した場合、自機の設定をアンロックしてよい。
【００４６】
第２電子機器１２は、自機の設定をアンロックしている状態で、取得した情報に含まれる設定情報に基づいて、自機の設定を変更する。第２電子機器１２は、自機の設定を変更した後、自機の設定を再びロックする。第２電子機器１２は、ステップＳ２３の後、図４のフローチャートの手順を終了する。
【００４７】
第１電子機器１１は、図５に示されるフローチャートの手順を実行してよい。
【００４８】
第１電子機器１１は、情報を出力する指示を取得したか判定する（ステップＳ３１）。第１電子機器１１は、図４のステップＳ１１で実行される手順と同一又は類似の手順によって、情報を出力する指示を取得してよい。第１電子機器１１は、情報を出力する指示を取得していない場合（ステップＳ３１：ＮＯ）、図５のフローチャートの手順を終了する。
【００４９】
第１電子機器１１は、情報を出力する指示を取得した場合（ステップＳ３１：ＹＥＳ）、設定情報を出力するか判定する（ステップＳ３２）。情報を出力する指示は、第１電子機器１１に出力させる情報が設定情報を含むか否か特定する。つまり、第１電子機器１１は、情報を出力する指示に基づいて、パスワードに関する情報だけを出力するか、パスワードに関する情報と設定情報とを含む情報を出力するか判定する。
【００５０】
第１電子機器１１は、設定情報を出力する場合（ステップＳ３２：ＹＥＳ）、第２電子機器１２で用いられるパスワードに関する情報と、第２電子機器１２の設定情報とを含む情報を生成する（ステップＳ３３）。ステップＳ３３の後、第１電子機器１１は、ステップＳ３５に進む。
【００５１】
第１電子機器１１は、設定情報を出力しない場合（ステップＳ３２：ＮＯ）、第２電子機器１２で用いられるパスワードに関する情報を生成する（ステップＳ３４）。ステップＳ３４の後、第１電子機器１１は、ステップＳ３５に進む。
【００５２】
第１電子機器１１は、ステップＳ３３又はステップＳ３４で生成した情報を出力する（ステップＳ３５）。
【００５３】
第１電子機器１１は、生成した情報を消去する（ステップＳ３６）。第１電子機器１１は、第２電子機器１２が情報を取得したことを確認した後に、生成した情報を消去してよい。第１電子機器１１は、操作部５０からの入力に基づいて、生成した情報を消去してよい。情報が消去されることによって、パスワードに関する情報を含む情報が部外者に知られにくくなる。結果として、電子機器１０のセキュリティが高められうる。第１電子機器１１は、ステップＳ３６の後、図５のフローチャートの手順を終了する。
【００５４】
第２電子機器１２は、図６に示されるフローチャートの手順を実行してよい。
【００５５】
第２電子機器１２は、情報を取得する指示を取得したか判定する（ステップＳ４１）。第２電子機器１２は、図４のステップＳ２１で実行される手順と同一又は類似の手順によって、情報を取得する指示を取得してよい。第２電子機器１２は、情報を取得する指示を取得していない場合（ステップＳ４１：ＮＯ）、図６のフローチャートの手順を終了する。
【００５６】
第２電子機器１２は、情報を取得する指示を取得した場合（ステップＳ４１：ＹＥＳ）、自機で用いられるパスワードに関する情報と、自機の設定情報とを含む情報を取得する（ステップＳ４２）。
【００５７】
第２電子機器１２は、自機にパスワードを設定済みであるか判定する（ステップＳ４３）。
【００５８】
第２電子機器１２は、自機にパスワードを設定済みである場合（ステップＳ４３：ＹＥＳ）、パスワードに関する情報に基づく認証が成功したか否か判定する（ステップＳ４４）。認証に用いられるパスワードに関する情報は、操作部５０から入力された情報であってよいし、第２電子機器１２が取得した情報に含まれる情報であってもよい。第２電子機器１２は、取得したパスワードによる認証を実行してもよい。
【００５９】
認証が成功しなかった場合（ステップＳ４４：ＮＯ）、第２電子機器１２は、ステップＳ４７に進む。認証が成功した場合（ステップＳ４４：ＹＥＳ）、第２電子機器１２は、自機の設定をアンロックし、取得した情報に含まれる設定情報に基づいて、自機を設定する（ステップＳ４５）。第２電子機器１２は、自機を設定した後、自機の設定をパスワードによってロックする。ステップＳ４５の後、第２電子機器１２は、ステップＳ４７に進む。
【００６０】
第２電子機器１２は、自機にパスワードを設定していない場合（ステップＳ４３：ＮＯ）、取得した情報に基づいて、自機を設定し、パスワードを設定する（ステップＳ４６）。第２電子機器１２は、設定情報に基づいて自機を設定する。第２電子機器１２は、パスワードに関する情報に基づいて自機の設定をパスワードによってロックする。ステップＳ４６の後、第２電子機器１２は、ステップＳ４７に進む。
【００６１】
第２電子機器１２は、取得した情報を消去する（ステップＳ４７）。第２電子機器１２は、操作部５０からの入力に基づいて取得した情報を消去してよい。第２電子機器１２は、自機の設定とパスワードの設定とが完了した後に、取得した情報を自動的に消去してもよい。情報が消去されることによって、パスワードに関する情報を含む情報が部外者に知られにくくなる。結果として、電子機器１０のセキュリティが高められうる。第２電子機器１２は、ステップＳ４７の後、図６のフローチャートの手順を終了する。
【００６２】
図７に示される比較例に係る設定システム９は、電子機器１０と接続するサーバ９０を備える。比較例において、電子機器１０は、サーバ９０から設定情報を取得し、自機を設定する。比較例において、サーバ９０を備えるシステムの構成のためのコストが増大しうる。一方で、本実施形態に係る設定システム１は、サーバ９０等の他の機器を用いることなく、各電子機器１０の間の情報のやり取りによって、各電子機器１０を設定できる。このようにすることで、システムの構成のためのコストが低減されうる。本実施形態に係る設定システム１において、電子機器１０は、ネットワークを経由せずに、設定情報を取得できる。このようにすることで、セキュリティが高められうる。
【００６３】
他の比較例において、電子機器１０は、操作部５０を介して入力されたパスワードに基づいて認証を行い、自機の設定をアンロックする。一方で、本実施形態に係る設定システム１において、電子機器１０は、設定情報とともにパスワードに関する情報を取得する。このようにすることで、セキュリティが高められた状態が維持されつつ、電子機器１０に対する操作入力が低減されうる。
【００６４】
本実施形態において、任意の電子機器１０が第１電子機器１１として機能しうる。このようにすることで、電子機器１０の設定情報を出力するための専用の機器が必要とされない。設定システム１の構成の自由度が向上されうる。
【００６５】
電子機器１０は、携帯電話、又はスマートフォンなどの携帯機器であってよい。電子機器１０は、これらに限られず、他の種々の機器であってよい。
【００６６】
本開示に係る実施形態について、諸図面及び実施例に基づき説明してきたが、当業者であれば本開示に基づき種々の変形又は修正を行うことが容易であることに注意されたい。従って、これらの変形又は修正は本開示の範囲に含まれることに留意されたい。例えば、各構成部又は各ステップなどに含まれる機能などは論理的に矛盾しないように再配置可能であり、複数の構成部又はステップなどを１つに組み合わせたり、或いは分割したりすることが可能である。本開示に係る実施形態について装置を中心に説明してきたが、本開示に係る実施形態は装置の各構成部が実行するステップを含む方法としても実現し得るものである。本開示に係る実施形態は装置が備えるプロセッサにより実行される方法、プログラム、又はプログラムを記録した記憶媒体としても実現し得るものである。本開示の範囲にはこれらも包含されるものと理解されたい。
【００６７】
本開示において「第１」及び「第２」等の記載は、当該構成を区別するための識別子である。本開示における「第１」及び「第２」等の記載で区別された構成は、当該構成における番号を交換することができる。例えば、第１電子機器は、第２電子機器と識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【符号の説明】
【００６８】
１  設定システム
１０（１０−１〜ｎ）  電子機器
１１  第１電子機器
１２  第２電子機器
２０  コントローラ
２２  記憶部
３０  取得部
４０  出力部
５０  操作部
【図１】
2019148893.tif 000003
【図２】
2019148893.tif 000004
【図３】
2019148893.tif 000005
【図４】
2019148893.tif 000006
【図５】
2019148893.tif 000007
【図６】
2019148893.tif 000008
【図７】
2019148893.tif 000009
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
第１電子機器と、第２電子機器とを備え、
前記第１電子機器は、パスワードと、前記第２電子機器の設定情報とを含む情報を、バーコード及び二次元コードの少なくとも一方のコードとして表示し、
前記第２電子機器は、前記第１電子機器から、前記パスワードと、前記設定情報とを含む情報を、前記第１電子機器が表示したコードを読み取ることによって取得し、前記設定情報に基づき自機の設定を変更し、前記パスワードによって自機の設定をロックする
設定システム。
【請求項２】
前記第１電子機器は、前記パスワードによって自機の設定をロックする、請求項１に記載の設定システム。
【請求項３】
前記第２電子機器が前記パスワードによって自機の設定をロックしている状態において、
前記第２電子機器は、
前記第１電子機器から前記パスワードを取得し、
前記第１電子機器から取得したパスワードによる認証が成功した場合、自機の設定をアンロックし、前記設定情報に基づき自機の設定を変更する、請求項１又は２に記載の設定システム。
【請求項４】
前記設定情報は、前記第２電子機器の機能を制限する設定に関する情報である、請求項１乃至３のいずれか一項に記載の設定システム。
【請求項５】
前記第２電子機器は、自機の設定の少なくとも一部を、前記第１電子機器の設定と同一に設定する、請求項１乃至４のいずれか一項に記載の設定システム。
【請求項６】
パスワードと、他の電子機器の設定情報とを含む情報を、バーコード及び二次元コードの少なくとも一方のコードとして表示し、
前記設定情報は、前記他の電子機器を設定するために用いられ、
前記パスワードは、前記他の電子機器の設定をロックするために用いられる、
電子機器。
【請求項７】
他の電子機器から、パスワードと、自機の設定情報とを含む情報を、バーコード及び二次元コードの少なくとも一方のコードを読み取ることによって取得し、
前記設定情報に基づき自機の設定を変更し、
前記パスワードによって自機の設定をロックする
電子機器。
【請求項８】
第１電子機器が、パスワードと、第２電子機器の設定情報とを含む情報を、バーコード及び二次元コードの少なくとも一方のコードとして表示し、
前記第２電子機器が、前記第１電子機器から、前記パスワードと、前記設定情報とを含む情報を、前記第１電子機器が表示したコードを読み取ることによって取得し、前記設定情報に基づき自機の設定を変更し、前記パスワードによって自機の設定をロックする
設定方法。
【請求項９】
電子機器に、パスワードと、他の電子機器の設定情報とを含む情報を、バーコード及び二次元コードの少なくとも一方のコードとして表示させ、
前記設定情報は、前記他の電子機器を設定するために用いられ、
前記パスワードは、前記他の電子機器の設定をロックするために用いられる、
設定プログラム。
【請求項１０】
電子機器に、他の電子機器から、パスワードと、自機の設定情報とを含む情報を、バーコード及び二次元コードの少なくとも一方のコードを読み取ることによって取得させ、
前記設定情報に基づき自機の設定を変更させ、
前記パスワードによって自機の設定をロックさせる
設定プログラム。
【手続補正２】
【補正対象書類名】明細書
【補正対象項目名】０００６
【補正方法】変更
【補正の内容】
【０００６】
上記目的を達成する本開示の一実施形態に係る設定システムは、第１電子機器と、第２電子機器とを備える。前記第１電子機器は、パスワードと、前記第２電子機器の設定情報とを含む情報を、バーコード及び二次元コードの少なくとも一方のコードとして表示する。前記第２電子機器は、前記第１電子機器から、前記パスワードと、前記設定情報とを含む情報を、前記第１電子機器が表示したコードを読み取ることによって取得する。前記第２電子機器は、前記設定情報に基づき自機の設定を変更する。前記第２電子機器は、前記パスワードによって自機の設定をロックする。
【手続補正３】
【補正対象書類名】明細書
【補正対象項目名】０００７
【補正方法】変更
【補正の内容】
【０００７】
上記目的を達成する本開示の一実施形態に係る電子機器は、パスワードと、他の電子機器の設定情報とを含む情報を、バーコード及び二次元コードの少なくとも一方のコードとして表示する。前記設定情報は、前記他の電子機器を設定するために用いられる。前記パスワードは、前記他の電子機器の設定をロックするために用いられる。
【手続補正４】
【補正対象書類名】明細書
【補正対象項目名】０００８
【補正方法】変更
【補正の内容】
【０００８】
上記目的を達成する本開示の一実施形態に係る電子機器は、他の電子機器から、パスワードと、自機の設定情報とを含む情報を、バーコード及び二次元コードの少なくとも一方のコードを読み取ることによって取得する。前記電子機器は、前記設定情報に基づき自機の設定を変更する。前記電子機器は、前記パスワードによって自機の設定をロックする。
【手続補正５】
【補正対象書類名】明細書
【補正対象項目名】０００９
【補正方法】変更
【補正の内容】
【０００９】
上記目的を達成する本開示の一実施形態に係る設定方法において、第１電子機器が、パスワードと、前記第２電子機器の設定情報とを含む情報を、バーコード及び二次元コードの少なくとも一方のコードとして表示する。前記設定方法において、第２電子機器が、前記第１電子機器から、前記パスワードと、前記設定情報とを含む情報を、前記第１電子機器が表示したコードを読み取ることによって取得する。前記設定方法において、第２電子機器が、前記設定情報に基づき自機の設定を変更する。前記設定方法において、第２電子機器が、前記パスワードによって自機の設定をロックする。
【手続補正６】
【補正対象書類名】明細書
【補正対象項目名】００１０
【補正方法】変更
【補正の内容】
【００１０】
上記目的を達成する本開示の一実施形態に係る設定プログラムは、電子機器に、パスワードと、他の電子機器の設定情報とを含む情報を、バーコード及び二次元コードの少なくとも一方のコードとして表示させる。前記設定情報は、前記他の電子機器を設定するために用いられる。前記パスワードは、前記他の電子機器の設定をロックするために用いられる。
【手続補正７】
【補正対象書類名】明細書
【補正対象項目名】００１１
【補正方法】変更
【補正の内容】
【００１１】
上記目的を達成する本開示の一実施形態に係る設定プログラムは、電子機器に、他の電子機器から、パスワードと、自機の設定情報とを含む情報を、バーコード及び二次元コードの少なくとも一方のコードを読み取ることによって取得させる。前記設定プログラムは、前記電子機器に、前記設定情報に基づき自機の設定を変更させる。前記設定プログラムは、前記電子機器に、前記パスワードによって自機の設定をロックさせる。